(57)【要約】      （修正有）【課題】ボールエレベーターが備えるボールリフトロッドのボール掃き出し部において、ピンの巻き込みを原因として発生するボールの異常摩耗を防止できるピン巻込防止装置を提供する。【解決手段】２本の平行なボールリフトロッド８に摺接するボールＢをボールエレベーターホイール７で転動させてボールリフトロッドの高位置に配置されたボール掃き出し部１０へ移送するボールエレベーター４に対して設けられ、ボール掃き出し部１０に設けられてボールに随伴してボールとボールリフトロッドとの間に巻き込まれるピンＰを検出するピン検出部と、ピン検出部がピンを検出したときにボールエレベーターホイールの駆動制御部９を停止させる緊急停止部１５とを有している。【選択図】図１
0003217904.tif 000002
【実用新案登録請求の範囲】
【請求項１】
２本の平行なボールリフトロッドに摺接するボールをボールエレベーターホイールで転動させて前記ボールリフトロッドの高位置に配置されたボール掃き出し部へ移送するボールエレベーターに対して設けられるピン巻込防止装置であって、
前記ボール掃き出し部に設けられて前記ボールに随伴して当該ボールと前記ボールリフトロッドとの間に巻き込まれるピンを検出するピン検出部と、
前記ピン検出部が前記ピンを検出したときに前記ボールエレベーターホイールの駆動制御部を停止させる緊急停止部と、
を有していることを特徴とするボールエレベーターのピン巻込防止装置。
【請求項２】
前記ピン検出部は、ピンによる押圧を受けて揺動又は出退動作を取り出す可動構造部と、
前記可動構造部によって取り出された動作に応答して検出信号を発する接触型の検出器と、
前記可動構造部による前記検出器への伝動力を緩和吸収する緩衝材と、
を有していることを特徴とする請求項１に記載のボールエレベーターのピン巻込防止装置。
【請求項３】
前記ピン検出部よりも高位置に設けられて前記ボールに随伴するピンが前記２本のボールリフトロッド間に侵入するのを阻止するロッド間埋め板を有していることを特徴とする請求項１又は請求項２に記載のボールエレベーターのピン巻込防止装置。
【考案の詳細な説明】
【技術分野】
【０００１】
本考案は、ボールエレベーターのピン巻込防止装置に関する。
【背景技術】
【０００２】
ボーリング場では、レーンの奥側（ピンを並べる位置の裏側）に、投球されたボールを倒れたピンと分離した後、遊技者へ返球するうえで高位置まで持ち上げるようにするボールエレベーターが備えられているのが一般的である。
このボールエレベーターは、下位から高位にかけて１/４円弧形に湾曲された２本の平行なボールリフトロッドと、これらボールリフトロッドに摺接するボールをボールリフトロッドへ押し付けながら転動させることで、ボールリフトロッドに沿わせながら高位置へ移送させるボールエレベーターホイール（ボールリフトロッドよりもボール１個ぶんだけ径大なリング状の回転体）とを有した構成となっている。
【０００３】
そして、ボールリフトロッドの高位置に、ボールを掃き出すボール掃き出し部が設けられている（例えば、特許文献１等参照）。
なお、ボール掃き出し部において、ボールリフトロッドはＵターン状に折り返されており、折り返された後に垂下するロッド部分には、ボールリフトロッドとボールエレベーターホイールとの相互間隔をボールの直径に合わせて調節するためのアジャスタ部や弾性押圧するための圧縮バネが連結されている。
【先行技術文献】
【特許文献】
【０００４】
【特許文献１】実開昭４９−１４７０７４号公報
【考案の概要】
【考案が解決しようとする課題】
【０００５】
ボールエレベーターによってボールが高位置のボール掃き出し部まで移送される過程で、ボールにピンが絡まり、ボール掃き出し部まで随伴してしまうようなことが稀に発生していた。
そして、ボール掃き出し部に到達したピンは、ボールとボールリフトロッド（殊にＵターン状に折り返された部分など）との間に巻き込まれてしまい、ボールを転動しない状態に陥らせてしまうことがあった。
【０００６】
このようになると、ボールは、回転を続けるボールエレベーターホイールによって擦られ続けることになるので、ボールは局部的に異常摩耗され、その後の使用ができなくなることがあった。
本考案は、上記事情に鑑みてなされたものであって、ボールエレベーターが備えるボールリフトロッドのボール掃き出し部において、ピンの巻き込みを原因として発生するボールの異常摩耗を防止できるようにするボールエレベーターのピン巻込防止装置を提供することを目的とする。
【課題を解決するための手段】
【０００７】
前記目的を達成するために、本考案は次の手段を講じた。
即ち、本考案に係るボールエレベーターのピン巻込防止装置は、２本の平行なボールリフトロッドに摺接するボールをボールエレベーターホイールで転動させて前記ボールリフトロッドの高位置に配置されたボール掃き出し部へ移送するボールエレベーターに対して設けられる装置であって、前記ボール掃き出し部に設けられて前記ボールに随伴して当該ボールと前記ボールリフトロッドとの間に巻き込まれるピンを検出するピン検出部と、前記ピン検出部が前記ピンを検出したときに前記ボールエレベーターホイールの駆動制御部を停止させる緊急停止部と、を有していることを特徴とする。
【０００８】
前記ピン検出部は、ピンによる押圧を受けて揺動又は出退動作を取り出す可動構造部と、前記可動構造部によって取り出された動作に応答して検出信号を発する接触型の検出器と、前記可動構造部による前記検出器への伝動力を緩和吸収する緩衝材と、を有したものとすることができる。
前記ピン検出部よりも高位置に設けられて前記ボールに随伴するピンが前記２本のボールリフトロッド間に侵入するのを阻止するロッド間埋め板を有したものとしてもよい。
【考案の効果】
【０００９】
本考案に係るボールエレベーターのピン巻込防止装置は、ボールエレベーターが備えるボールリフトロッドのボール掃き出し部において、ピンの巻き込みを原因として発生するボールの異常摩耗が防止できるようになる。
【図面の簡単な説明】
【００１０】
【図１】本考案に係るピン巻込防止装置を示した斜視図である。
【図２】図１のＡ部拡大図である。
【図３】本考案に係るピン巻込防止装置を示した側面図である。
【図４】本考案に係るピン巻込防止装置を示した正面図である。
【図５】本考案に係るピン巻込防止装置による第１のピン巻き込み防止作用を説明した側面図である。
【図６】本考案に係るピン巻込防止装置による第２のピン巻き込み防止作用を説明した側面図である。
【図７】本考案に係るピン巻込防止装置による第３のピン巻き込み防止作用を説明した側面図である。
【考案を実施するための形態】
【００１１】
以下、本考案の実施の形態を、図面に基づき説明する。
図１乃至図７は、本考案に係るピン巻込防止装置１の第１実施形態を示している。図１に示すように、このピン巻込防止装置１は、レーン３の奥側（ピンＰを並べる位置の裏側）に設置されたボールエレベーター４に対して設けるものである。
このボールエレベーター４は、レーン３の長手方向に平行な水平軸を中心とする円形リング形を呈したボールエレベーターホイール７を有し、このボールエレベーターホイール７のリング内側に、下位から高位にかけて１/４円弧形に湾曲された２本の平行なボールリフトロッド８が設けられている。ボールエレベーターホイール７は、駆動制御部９により、一方向に連続回転するように制御される。
【００１２】
従って、投球後にボールエレベーター４に回収されるボールＢは、２本のボールリフトロッド８間に嵌り込んで摺接状態とされると共に、ボールＢにおいてこれらの摺接位置とは反対側となる面をボールエレベーターホイール７に押圧されてボールリフトロッド８との間に挟持されることになり、その結果、ボールＢは転動しつつボールリフトロッド８の高位置に設けられたボール掃き出し部１０へと移送される。
【００１３】
図２に示すように、ボール掃き出し部１０は、ボールリフトロッド８の最上端となる高位置部分をＵターン状に折り返すことにより形成されており、このボール掃き出し部１０まで導かれたボールＢは、ボールエレベーター４の奥方へ続く排出用のガイドレール（図示略）へと移載され、その後、投球者側へと返球される。
ボールリフトロッド８には、この折り返し部分に生じた垂下ロッド部分８ａに、ボールエレベーターホイール７とボールリフトロッド８との相互間隔をボールＢの直径に合わせて調整できるようにした間隔調整部１１が設けられている。
【００１４】
この間隔調整部１１は、長ボルトを用いたアジャスタ部や圧縮バネを用いたダンパー部など（図例は圧縮バネ１１ａとこの圧縮バネ１１ａによる弾発力をボールリフトロッド８の垂下ロッド部分８ａに伝えるバネ受けバー１１ｂとを有するダンパー部とした）とされている。
なお、ボールエレベーター４にはこのような間隔調整部１１を設ける必要があるために、ボールリフトロッド８の高位置部分であるボール掃き出し部１０に対して、Ｕターン状の折り返し部が必要になっていると言うことができる。そして、多くの場合、このＵターン状の折り返し部を原因として、ボールＢに随伴したピンＰが巻き込み事故を生じることが判っている。
【００１５】
本考案に係るピン巻込防止装置１は、このようなボール掃き出し部１０に対応させて配置される。
なお、以下では、説明の便宜上、図３の右をピン巻込防止装置１の「前側」又は「正面側」と言い、同左をピン巻込防止装置１の「後側」又は「裏面側」と言う。また図４の左右を、そのままピン巻込防止装置１の左右と言う。
【００１６】
このピン巻込防止装置１は、ボール掃き出し部１０を形成しているボールリフトロッド８の相互間に配置するピン検出部１４を有しており、またこのピン検出部１４とボールエレベーターホイール７の駆動制御部９との間に電気的に接続される緊急停止部１５（図１参照）を有している。更にまた、このピン巻込防止装置１は、ピン検出部１４よりも高位置に設けられたロッド間埋め板１６を有している。
【００１７】
図３及び図４に示すように、ピン検出部１４は、板状に形成された立ベース２０に対して、可動構造部２１と検出器２２と緩衝材２３とが設けられて成る。
立ベース２０は、ボール掃き出し部１０を形成しているボールリフトロッド８の相互間に収容され得る板面大きさを有しており、その上辺部は、当該立ベース２０の上位に配置されるロッド間埋め板１６との連結を可能にするために、裏側へ向けてＬ型に屈曲されている。
【００１８】
また、立ベース２０の下辺部は、ボール掃き出し部１０まで到達したピンＰがボールリフトロッド８の相互間などへ巻き込まれるのを可及的に防止しつつ円滑に弾き出せるようにし、またこの際に、当該立ベース２０に接触したピンＰを傷付けることがないように、裏側へ退かせるようなカーブ形状に形成させてある。
可動構造部２１は、立ベース２０を裏側から左右方向に挟持してその前面側へ左右一対のヒンジ片２５を突出させる支持部２６と、この支持部２６の両ヒンジ片２５間で前後揺動自在に保持された揺動体２７と、この揺動体２７の前面で左右方向に架設された接触子２８と、揺動体２７の後面で接触子２８に重なる配置となるようにして左右方向に架設された連動子２９とを有している。
【００１９】
揺動体２７は丸棒素材を凹形（クランク形）に屈曲したものであり、上部で水平方向に張り出す両側の軸部２７ａを両ヒンジ片２５へ貫通保持させることにより、この両軸部２７ａを支点として中央の下凹み形状部を前後方向（立ベース２０に近接離反する方向：なお図３に示すＬ１＋Ｌ２参照）へ揺動させるようになっている。
接触子２８は、揺動体２７における下凹み形状部から前方へ突出するように配置されており、断面円形の棒材により形成されることによってピンＰと高面圧接触を行わせるようにして、その検知精度を高めてある。
【００２０】
これに対して連動子２９は帯板により形成されており、接触子２８の太さよりも幅広い面積で緩衝材２３との当接ができるようにしてある。
これら接触子２８や連動子２９は、揺動体２７に対して溶接やネジ止め等による固定をしたうえで、尚かつ、樹脂紐や綿ロープ、針金材などより成る緊締索３１で、揺動体２７を表裏から抱き合わせるようにして縛り止められている。
【００２１】
このような緊締索３１を用いた縛り止め構造の採用により、溶接やネジ止めによる固定部分が、万が一、ピンＰ等との衝突力、金属疲労、或いは経年劣化等で破損しても、直ちに揺動体２７から接触子２８や連動子２９が外れないように対策してある。
またネジ止めと縛り止め構造との組み合わせを選択すれば、溶接が不要となるので、接触子２８が万が一、曲がった場合などにその交換が簡単に行えるという利点がある。加えて、溶接が破断した場合では破断箇所に生じる尖端でボールＢやピンＰに傷を付けるおそれがあるが、溶接を不要とすることでこのような傷の発生も防止できる利点に繋がる。
【００２２】
検出器２２は、可動構造部２１によって取り出された動作に応答して、電気的な検出信号を発したり、導通のオンオフ切り換えをしたりするものである。図例では前後動するスイッチ端２２ａを備えた接触型のものを示してある。
緩衝材２３は、可動構造部２１の揺動体２７が揺動した際に、揺動体２７の連動子２９が検出器２２に衝撃的にぶつかるのを緩和して、検出器２２を物理的な破壊や故障から保護するためのものである。この緩衝材２３は、ゴムやウレタン、スポンジなどの弾性素材により盤体状に形成されたものとしてある。
【００２３】
なお、連動子２９には、立ベース２０の上辺部（Ｌ型屈曲部）などとの間に引張バネ３０が接続されており、連動子２９を常に検出器２２へ寄せ付けるように引っ張り付勢してある。そのため、連動子２９と緩衝材２３とは、緩衝材２３に圧縮変形の余裕を残しながらも、互いに面接触する状態が維持されるようになっている。当然に、この状況下において検出器２２は、スイッチ端２２ａが連動子２９によって押されてはおらず、非作動状態（未検出状態）とされている。
【００２４】
緩衝材２３を交換などする場合には、揺動体２７を図３中に二点鎖線で示すように跳ね上げて（Ｌ２参照）、連動子２９を離反状態にさせればよい。このとき、引張バネ３０は、揺動体２７を跳ね上げ状態に保持させておくうえで有益に作用する。
ピン検出部１４は、このような構成であるため、ボールＢに随伴してボール掃き出し部１０にピンＰが到達することがあったとしても、このピンＰがボールＢとボールリフトロッド８との間に巻き込まれそうになる前に、ピンＰを検出することができる。
【００２５】
一方、ロッド間埋め板１６は、ボール掃き出し部１０を形成しているボールリフトロッド８の相互間に収容され得る板面大きさを有したもので、その上辺部は、ボール掃き出し部１０まで到達したピンＰがボールリフトロッド８の相互間などへ巻き込まれるのを可及的に防止しつつ円滑に弾き出せるようにし、またこの際に、当該ロッド間埋め板１６に接触したピンＰを傷付けることがないように、裏側へのけ反るようなカール形状に形成させてある。
【００２６】
またロッド間埋め板１６の下辺部は、当該ロッド間埋め板１６の下位に配置される立ベース２０との連結を可能にするために、裏側へ向けてＬ型に屈曲されている。
このロッド間埋め板１６と可動構造部２１の立ベース２０との連結は、ロッド間埋め板１６における下辺部のＬ型屈曲部と立ベース２０における上辺部のＬ型屈曲部とを重ね合わせたうえで、これらを合綴ボルト３２ａとナット３２ｂとを螺合させることにより行っている。
【００２７】
この連結位置は、可及的に前方、すなわち、ボールリフトロッド８に近接させるように配置してある。この配置にすることにより、ピンＰがロッド間埋め板１６や立ベース２０に当接し、更に強い力で押圧することがあったとしても、ロッド間埋め板１６と立ベース２０との連結間が口開きすることのないように対策してある。
このロッド間埋め板１６には、上部の両側縁部から左右両外方へ突出するブラケット３３，３４が設けられている。一方のブラケット３３は、後端部をロッド間埋め板１６の板面に平行させて下方へ屈曲してあり、他方のブラケット３４は、後端部をロッド間埋め板１６の板面に平行させて上方へ屈曲してある。
【００２８】
また、ロッド間埋め板１６のＬ型屈曲部と立ベース２０のＬ型屈曲部とを重ね合わせた連結部位には、合綴ボルト３２ａとナット３２ｂとの螺合位置よりも後方位置（ボールリフトロッド８から離れた位置）に、ボルト貫通部を形成して、前記した間隔調整部１１（図２参照）が備えるセットボルト３５を挿通できるようにしてある。
このセットボルト３５は、圧縮バネ１１ａのバネ受けバー１１ｂに挿通したセット用スリーブ３６に対して径方向に螺合するように用いられ、セットボルト３５のボルト端をバネ受けバー１１ｂに押し付けることができるようになっている。
【００２９】
そのため、このセットボルト３５を締め込むことにより、スリーブ３６をバネ受けバー１１ｂに固定することができる。すなわち、バネ受けバー１１ｂに対して、圧縮バネ１１ａの接続端をその両側から挟み込むように２個のスリーブ３６を挿通し、これら２個のスリーブ３６をセットボルト３５によって固定することで、バネ受けバー１１ｂに対する圧縮バネ１１ａの位置決め及び固定ができるものである。
【００３０】
このようなセットボルト３５を、前記のようにロッド間埋め板１６のＬ型屈曲部と立ベース２０のＬ型屈曲部とを重ね合わせた連結部位へ貫通させ、この貫通部分で２個のナット３７により挟み込んでダブルナット作用を生じさせるように締め付ければ、間隔調整部１１を基準として、ピン巻込防止装置１の位置決めと、固定が可能となる。
加えて、ロッド間埋め板１６の上部に設けたブラケット３３，３４を巻き締め具４０（一般に管止め用の金具として使用するものや樹脂製又は金属製の結束バンド等）によってボールリフトロッド８の垂下ロッド部分８ａに縛り止めるようにすることで、ピン巻込防止装置１の取り付けは確実なものとなる。
【００３１】
以上、詳説した構成を具備して成る本考案のピン巻込防止装置１では、ボールＢに随伴してボールリフトロッド８のボール掃き出し部１０までピンＰが到達したときに、ピン検出部１４がピンＰを検出すれば、緊急停止部１５がボールエレベーターホイール７の駆動制御部９を停止させるように制御を行う。
一方で、ピンＰがピン検出部１４を素通りしてしまい、ピン検出部１４より高位置までピンＰが移送されてしまった場合には、ロッド間埋め板１６がピンＰを弾き返し、ボールリフトロッド８の相互間にピンＰが入り込むことがないようにするものである。
【００３２】
具体的な一例を示せば、例えば図５に例示するように、ボールＢの上に倒立したピンＰが乗り上げ、ピンＰの細くくびれた首部とボールＢとが噛み合うようになった場合には、従来であれば（本考案に係るピン巻込防止装置１を使用しない場合は）、ピンＰの噛み込みによるボールＢの転動停止が起こり、ボールＢが局部的に異常磨耗することに繋がるが、本考案に係るピン巻込防止装置１を使用することで、ピン検出部１４がいち早くピンＰを検出して駆動制御部９を制御し、ボールエレベーターホイール７を停止させることになる。
【００３３】
また、図６に例示するように、ボールＢの上にピンＰの太い胴部が乗り上げて、ピン頭部がボールエレベーターホイール７へ向けて大きく突き出し、ピンＰがボールエレベーターホイール７とボールリフトロッド８とボールＢとの間に絡み付くようになった場合も、ピン検出部１４がいち早くピンＰを検出して駆動制御部９を制御し、ボールエレベーターホイール７を停止させることになる。
【００３４】
従って、これらの状況に至った時点で、例えば音声や光、文字表示などの報知により管理者にメンテナンスを促すシステムとしておけば、ピンＰの巻き込み事故を未然に防止できるものであり、結果としてボールＢの局部的な異常磨耗を防止することができる。当然に、ピンＰが異常磨耗することも防止できるものである。
また、図７に例示するように、ボールＢの上にピンＰが立ち姿勢で乗り上げた場合や、倒立したピンＰがピン検出部１４を素通りしてしまった場合などでは、ロッド間埋め板１６によってピンＰが弾き返されてボールリフトロッド８間にピンＰが侵入することはない。
【００３５】
従って、このようなピンＰを原因として起こるボールＢの異常磨耗は、完全に防止することができる。
ところで、本考案は、前記実施形態に限定されるものではなく、実施の形態に応じて適宜変更可能である。
例えば、検出器２２には非接触型のもの（センサ類）を採用することもできる。
【００３６】
可動構造部２１は、直線的に出退する構造に形成することが可能である。この場合、緩衝材２３は、可動構造部２１を出退させる方向で弾性力を生起する圧縮バネにより形成することが可能である。
緊急停止部１５は、駆動制御部９に対してボールエレベーターホイール７の回転を止めさせることができるものであれば、電気的な回路としたり半導体自体のプログラムとしたり、或いはスイッチング動作体としたりできるものであり、構成の詳細は何ら問われるものではない。
【符号の説明】
【００３７】
１  ピン巻込防止装置
２  ボールエレベーター
３  レーン
４  ボールエレベーター
７  ボールエレベーターホイール
８  ボールリフトロッド
８ａ  垂下ロッド部分
９  駆動制御部
１０  ボール掃き出し部
１１  間隔調整部
１１ａ  圧縮バネ
１１ｂ  バネ受けバー
１４  ピン検出部
１５  緊急停止部
１６  ロッド間埋め板
２０  立ベース
２１  可動構造部
２２  検出器
２２ａ  スイッチ端
２３  緩衝材
２５  ヒンジ片
２６  支持部
２７  揺動体
２７ａ  軸部
２８  接触子
２９  連動子
３０  引張バネ
３１  緊締索
３２ａ  合綴ボルト
３２ｂ  ナット
３３  ブラケット
３４  ブラケット
３５  セットボルト
３６  スリーブ
３７  ナット
４０  巻き締め具
Ｂ  ボール
Ｐ  ピン
【図１】
0003217904.tif 000003
【図２】
0003217904.tif 000004
【図３】
0003217904.tif 000005
【図４】
0003217904.tif 000006
【図５】
0003217904.tif 000007
【図６】
0003217904.tif 000008
【図７】
0003217904.tif 000009